(57)【要約】【課題】排泄された尿の漏れを防ぐことができ、使用中の違和感がない使い捨て尿処理物品を提供する。【解決手段】使い捨て尿処理物品１Ａは、裏面シート３の外面に取り付けられた縦長の台紙１０と、物品１Ａの両側部９に配置された一対の不透液性防漏堤１１とを有する。台紙１０は、その前端部１２が物品１Ａの前端部７から縦方向外方へ延出するとともに、第１折曲線１６を介して折り曲げられて表面シート２の上方へ起立している。物品１Ａでは、防漏提１１の固定前端部１１ｃが台紙１０の前端部１２に固着され、台紙１０の前端部１２の起立にともなって固定前端部１１ｃが表面シート２の上方に位置し、弾性部材２１の収縮によって防漏提１１の自由部１１ｂが表面シート２の上方へ起立している。【選択図】      図１
2005052219.tif 000002
【特許請求の範囲】
【請求項１】
肌当接側に位置する透液性表面シートおよび肌非当接側に位置する不透液性裏面シートと、前記表裏面シートの間に介在する吸液性コアとから構成され、横方向へ延びる前後端部と、縦方向へ延びる両側部とを有する縦長の使い捨て尿処理物品において、
前記物品が、前記裏面シートの外面に取り付けられて前記前後端部間に延びる縦長の台紙と、前記両側部に配置されて前記前後端部間に延びる一対の不透液性防漏堤とを備え、
前記台紙が、横方向へ延びる前後端部と、縦方向へ延びる両側部とを有し、前記台紙の前端部が、前記物品の前端部から縦方向外方へ延出するとともに、前記物品の前端部近傍に形成された横方向へ延びる第１折曲線を介して折り曲げられて前記表面シートの上方へ起立し、
前記防漏堤が、前記物品の両側部に位置して縦方向へ延びる固定側部と、前記固定側部と並行して縦方向へ延びる自由部と、前記自由部の縦方向両側に位置する固定前後端部とを有し、
前記物品では、前記防漏提の固定前端部が前記第１折曲線の縦方向外方に位置して前記台紙の前端部に固着され、前記台紙の前端部の起立にともなって、前記防漏提の固定前端部が前記表面シートの上方に位置するとともに、前記防漏提の固定前端部寄りに延びる自由部が前記表面シートの上方へ起立していることを特徴とする前記物品。
【請求項２】
前記台紙の後端部が、前記物品の後端部から縦方向外方へ延出するとともに、前記物品の後端部近傍に形成された横方向へ延びる第２折曲線を介して折り曲げられて前記表面シートの上方へ起立し、
前記物品では、前記防漏提の固定後端部が前記第２折曲線の縦方向外方に位置して前記台紙の後端部に固着され、前記台紙の後端部の起立にともなって、前記防漏提の固定後端部が前記表面シートの上方に位置するとともに、前記防漏提の固定後端部寄りに延びる自由部が前記表面シートの上方へ起立している請求項１記載の物品。
【請求項３】
縦方向へ延びる伸縮性弾性部材が、前記防漏提の自由部に収縮可能に取り付けられ、前記防漏提の自由部全体が、前記弾性部材の収縮によって前記表面シートの上方へ起立する請求項１または請求項２に記載の物品。
【請求項４】
横方向へ延びる第３折曲線が、前記台紙の縦方向中央部に形成され、前記台紙が、前記第３折曲線を介して折り曲げられ、前記物品が、前記表面シートを内側にして縦方向へ所定の角度で屈曲している請求項１ないし請求項３いずれかに記載の物品。
【請求項５】
前記台紙をその厚み方向へ貫通する開口が、前記台紙の前端部に形成されている請求項１ないし請求項４いずれかに記載の物品。
【請求項６】
前記台紙の剛性が、前記表裏面シートのそれよりも大きく、前記台紙のテーバー法（ＪＩＳ  Ｐ  ８１２５）による縦方向の剛軟度が、５．０〜４０ｍＮ・ｍの範囲にあり、前記台紙のテーバー法（ＪＩＳ  Ｐ  ８１２５）による横方向の剛軟度が、２．０〜２０ｍＮ・ｍの範囲にある請求項１ないし請求項５いずれかに記載の物品。
【発明の詳細な説明】
【０００１】
【発明の属する技術分野】
本発明は、尿を吸収、保持する使い捨て尿処理物品に関する。
【０００２】
【従来の技術】
前身頃および後身頃を有する縦方向へ長い可撓性の厚紙と、厚紙の外面に配置された尿収容袋とから構成され、厚紙の縦方向中央部に厚紙を厚み方向へ貫通する円形の排尿口が形成され、尿収容袋の上部開口周縁部が排尿口の周縁部に固着された受尿具がある（特許文献１参照）。
【０００３】
この受尿具を使用するには、受尿具の後身頃を使用者の臀部の下に配置し、使用者の臀部を受尿具の後身頃の上に乗せた後、使用者のペニスを排尿口から尿収容袋の内部に挿入する。使用者は、受尿具の前域を手で把持しつつ、前身頃を腹部の側に引き寄せた状態で、尿収容袋に排尿する。
【０００４】
【特許文献１】
特開２００１−１３７２７２号公報
【０００５】
【発明が解決しようとする課題】
特許文献１に開示の受尿具は、その使用時に使用者のペニスを排尿口から袋の内部に挿入しなければならず、その分手間を要するのみならず、受尿具の排尿位置が厚紙の縦方向中央部に形成された排尿口に限定され、受尿具の使用中にそれがずれ動くと、排尿口からペニスが抜け出てしまい、尿が厚紙の内面に排泄されてしまう場合がある。この受尿具では、厚紙に尿を吸収する手段や尿の流動を阻止する手段がなく、尿が厚紙の内面に排泄されると、そのまま尿が受尿具の外側に漏出してしまう。また、受尿具の使用中に尿収容袋が使用者の股間部に位置するので、尿収容袋が股間部に当接して違和感がある。特に、尿収容袋に尿が排泄されると袋が膨らんで嵩張り、違和感が一層増加する。
【０００６】
本発明の目的は、排泄された尿の漏れを防ぐことができ、使用中の違和感がない使い捨て尿処理物品を提供することにある。
【０００７】
【課題を解決するための手段】
前記課題を解決するための本発明の前提は、肌当接側に位置する透液性表面シートおよび肌非当接側に位置する不透液性裏面シートと、前記表裏面シートの間に介在する吸液性コアとから構成され、横方向へ延びる前後端部と、縦方向へ延びる両側部とを有する縦長の使い捨て尿処理物品である。
【０００８】
前記前提における本発明の特徴は、前記物品が、前記裏面シートの外面に取り付けられて前記前後端部間に延びる縦長の台紙と、前記両側部に配置されて前記前後端部間に延びる一対の不透液性防漏提とを備え、前記台紙が、横方向へ延びる前後端部と、縦方向へ延びる両側部とを有し、前記台紙の前端部が、前記物品の前端部から縦方向外方へ延出するとともに、前記物品の前端部近傍に形成された横方向へ延びる第１折曲線を介して折り曲げられて前記表面シートの上方へ起立し、前記防漏提が、前記物品の両側部に位置して縦方向へ延びる固定側部と、前記固定側部と並行して縦方向へ延びる自由部と、前記自由部の縦方向両側に位置する固定前後端部とを有し、前記物品では、前記防漏提の固定前端部が前記第１折曲線の縦方向外方に位置して前記台紙の前端部に固着され、前記台紙の前端部の起立にともなって、前記防漏提の固定前端部が前記表面シートの上方に位置するとともに、前記防漏提の固定前端部寄りに延びる自由部が前記表面シートの上方へ起立していることにある。
【０００９】
本発明の実施態様の一例としては、前記台紙の後端部が、前記物品の後端部から縦方向外方へ延出するとともに、前記物品の後端部近傍に形成された横方向へ延びる第２折曲線を介して折り曲げられて前記表面シートの上方へ起立し、前記物品では、前記防漏提の固定後端部が前記第２折曲線の縦方向外方に位置して前記台紙の後端部に固着され、前記台紙の後端部の起立にともなって、前記防漏提の固定後端部が前記表面シートの上方に位置するとともに、前記防漏提の固定後端部寄りに延びる自由部が前記表面シートの上方へ起立している。
【００１０】
本発明の実施態様の他の一例としては、縦方向へ延びる伸縮性弾性部材が、前記防漏シートの自由部に収縮可能に取り付けられ、前記防漏提の自由部全体が、前記弾性部材の収縮によって前記表面シートの上方へ起立する。
【００１１】
本発明の実施態様の他の一例としては、横方向へ延びる第３折曲線が、前記台紙の縦方向中央部に形成され、前記台紙が、前記第３折曲線を介して折り曲げられ、前記物品が、前記表面シートを内側にして縦方向へ所定の角度で屈曲している。
【００１２】
本発明の実施態様の他の一例としては、前記台紙をその厚み方向へ貫通する開口が、前記台紙の前端部に形成されている。
【００１３】
本発明の実施態様の他の一例としては、前記台紙の剛性が、前記表裏面シートのそれよりも大きく、前記台紙のテーバー法（ＪＩＳ  Ｐ  ８１２５）による縦方向の剛軟度が、５．０〜４０ｍＮ・ｍの範囲にあり、前記台紙のテーバー法（ＪＩＳ  Ｐ  ８１２５）による横方向の剛軟度が、２．０〜２０ｍＮ・ｍの範囲にある。
【００１４】
【発明の実施の形態】
添付の図面を参照し、本発明に係る使い捨て尿処理物品の詳細を説明すると、以下のとおりである。
【００１５】
図１，２は、一例として示す尿処理物品１Ａの部分破断斜視図と、図１のＩＩ−ＩＩ線矢視断面図とであり、図３，４は、図１のＩＩＩ−ＩＩＩ線矢視断面図と、図１のＩＶ−ＩＶ線端面図とである。図１では、横方向を矢印Ｌ、縦方向を矢印Ｍで示し、厚み方向を矢印Ｎで示す。なお、表裏面シート２，３や台紙１０、防漏シート１１の内面とは、コア４に対向する面をいい、それらの外面とは、コア４に非対向の面をいう。
【００１６】
物品１Ａは、肌当接側に位置する透液性表面シート２と、肌非当接側に位置する不透液性裏面シート３と、表裏面シート２，３の間に介在する吸液性コア４とから構成されている。物品１Ａは、縦方向へ長い略矩形を呈し、縦方向に前身頃５と後身頃６とを備えている。物品１Ａは、前後身頃５，６を横方向へ略直状に延びる前後端部７，８と、前後身頃５，６間を縦方向へ略直状に延びる両側部９とを有する。コア４は、前後端部７，８間に延び、表裏面シート２，３の内面に接合されている。裏面シート３の外面には、物品１Ａの前後端部７，８間に延びる台紙１０が取り付けられている。物品１Ａの内側であってその両側部９には、物品１Ａの前後端部７，８間に延びる一対の不透液性防漏シート１１（不透液性防漏堤）が取り付けられている。
【００１７】
台紙１０は、その平面形状が物品１Ａのそれと略同一であり、縦方向へ長い略矩形を呈し、その剛性が表裏面シート２，３やコア４のそれよりも大きい。台紙１０は、その内面が裏面シート３の外面に固着されている。台紙は、物品１Ａの前端部７から縦方向外方へ延出して横方向へ延びる前端部１２と、物品１Ａの後端部８に位置して横方向へ延びる後端部１３と、物品１Ａの両側部９に位置して縦方向へ延びる両側部１４とを有する。
【００１８】
前端部１２は、物品１Ａの前端部７と並行して横方向へ略直状に延び、横方向の長さ寸法が物品１Ａの前端部７のそれよりも小さい。前端部１２には、台紙１０を厚み方向へ貫通する矩形の開口１５と、物品１Ａの前端部７近傍に位置して横方向へ延びる第１折曲線１６とが形成されている。開口１５は、前端部１２の中央部分１２ａに形成され、物品１Ａの使用者がその指を入れることが可能な大きさを有する。第１折曲線１６は、物品１Ａの前端部７の端縁７ａに沿って延びていて台紙１０の前端部１２を横切っている。前端部１２は、物品１Ａの使用者が把持可能な取っ手１７を画成している。
【００１９】
後端部１３は、物品１Ａの後端部８と並行して横方向へ略直状に延び、横方向の長さ寸法が物品１Ａの後端部８のそれと略同一である。後端部１３の横方向中央には、縦方向へ延びる廃棄処理用の細長い止着テープ１８が取り付けられている。両側部１４は、物品１Ａの両側部９と並行して縦方向へ略直状に延び、縦方向の長さ寸法が物品１Ａの両側部９のそれと略同一である。台紙１０の縦方向中央部１９には、横方向へ延びる第３折曲線２０が形成されている。第３折曲線２０は、台紙１０の両側部１４間を横切っている。
【００２０】
防漏シート１１は、物品１Ａの両側部９に位置して縦方向へ延びる固定側部１１ａと、固定側部１１ａと並行して縦方向へ延びる自由部１１ｂと、自由部１１ｂの縦方向両側に位置して物品１Ａの横方向内方へ倒伏した固定前後端部１１ｃ，１１ｄとを有する。自由部１１ｂの上方には、縦方向へ延びる伸縮性弾性部材２１が収縮可能に取り付けられている。弾性部材２１は、自由部１１ｂの一部に覆われた状態で、自由部１１ｂに固着されている。固定前端部１１ｂは、第１折曲線１６の縦方向外方であって台紙１０の前端部１２の前方部分１２ｂに位置し、台紙１０の内面に固着されている。固定後端部１１ｄは、物品１Ａの後端部８に位置し、表面シート２の外面に固着されている。
【００２１】
台紙１０は、図１に示すように、その前端部１２が第１折曲線１６を介して折り曲げられ、前端部１２が表面シート２の上方へ起立している。台紙１０は、その前端部１２が防漏シート１１の自由部１１ｂに取り付けられた弾性部材２１の収縮力によって物品１Ａの縦方向内方へ引っ張られている。物品１Ａでは、台紙１０が第３折曲線２０を介して折り曲げられ、弾性部材２１の収縮力によって物品１Ａの前後端部７，８が縦方向内方へ引っ張られており、物品１Ａが台紙１０の縦方向中央部１９を中心に表面シート２を内側にして縦方向へ所定の角度で屈曲している。
【００２２】
物品１Ａは、高い剛性を有する台紙１０の形態保持機能によって前端部１２の縦方向内方への倒伏が阻止され、弾性部材２１の収縮力によって前端部１２の縦方向外方への倒伏が阻止されており、台紙１０の形態保持機能と弾性部材２１の収縮力とによって台紙１０の前端部１２の起立状態が維持されている。物品１Ａは、台紙１０の形態保持機能によって物品１Ａの縦方向内方への縮みと前後身頃５，６の縦方向内方への倒伏とが阻止され、弾性部材２１の収縮力によって前後身頃５，６の縦方向外方への倒伏が阻止されており、台紙１０の形態保持機能と弾性部材２１の収縮力とによって物品１Ａの縦方向への屈曲状態が維持されている。
【００２３】
物品１Ａでは、台紙１０の前端部１２の起立にともなって、防漏シート１１の固定前端部１１ｃが表面シート２の上方に位置するとともに、固定前端部１１ｃ寄りに延びる自由部１１ｂが表面シート２の上方へ起立している。物品１Ａは、弾性部材２１の収縮によって防漏シート１１の自由部１１ｂ全体が表面シート２の上方へ起立し、自由部１１ｂ全体が尿に対する障壁を形成しているとともに、表面シート２の上方へ起立した台紙１０の前端部１２が尿に対する障壁を形成している。物品１Ａでは、防漏シート１１の固定前端部１１ｃにつながる自由部１１ｂが台紙１０の前端部１２の上方から延出し、前端部１２および自由部１１ｂが物品１Ａの前端部７と両側部９とが交差する角部２２に所定高さの障壁を形成している。物品１Ａには、台紙１０の前端部１２と防漏シート１１の自由部１１ｂとに囲繞された尿収容空間２３が画成されている。
【００２４】
物品１Ａの前後端部７，８は、コア４の端部４ａから縦方向外方へ延びる表面シート２の端部２ａと裏面シート３の端部３ａとから形成されている。前後端部７，８では、表裏面シート２，３の端部２ａ，３ａが互いに重なり合った状態で、それらシート２，３の内面どうしが固着されている。止着テープ１８は、台紙１０の後端部１３の外面に固着された固定部１８ａと、後端部１３から縦方向外方へ延びる延出部１３ｂとを有する。延出部１３ｂには、粘着剤２４が塗布されている。粘着材２４は、離型紙２５に被覆保護されている。物品１Ａの両側部９は、コア４の側部４ｂから横方向外方へ延びる表裏面シート２，３の側部２ｂ，３ｂと防漏シート１１の固定側部１１ａとから形成されている。両側部９では、表裏面シート２，３の側部２ｂ，３ｂと防漏シート１１の側部１１ａとが互いに重なり合った状態で、それらシート２，３，１１の内外面が固着されている。
【００２５】
図５，６は、使用状態で示す物品１Ａの斜視図と、廃棄するために二つに折り畳まれた物品１Ａの斜視図とである。図５では、使用者を二点差線で示す。
【００２６】
この物品１Ａの使用手順および使用方法は、以下のとおりである。物品１Ａの後身頃６を使用者の臀部の下に配置した後、使用者の臀部を後身頃６の上に乗せる。使用者は、台紙１０に形成された開口１５に指を入れ、物品１Ａの前身頃５を腹部の側に引き寄せる。前身頃５を腹部に引き寄せると、前身頃５が使用者の腹部と股間部とに当接し、防漏シート１１の自由部１１ｂが使用者の鼠径部に当接する。使用者は、物品１Ａの前身頃５を腹部に引き寄せた状態で尿収容空間２３に排尿する。排泄された尿は、表面シート２を透過してコア４に吸収、保持される。なお、物品１Ａは、男女兼用である。
【００２７】
物品１Ａは、従来技術の受尿具のように、ペニスを排尿口から尿収容袋の内部に挿入する必要はなく、その分の手間を省くことができる。物品１Ａは、尿を前身頃５と後身頃６とに排泄することができ、尿を前後身頃５，６において吸収、保持することができるので、物品１Ａの使用中にそれがずれ動いたとしても、尿が物品１Ａの外側に排泄されてしまうことはなく、尿が物品１Ａの外側に漏れてしまうこともない。物品１Ａは、従来技術の受尿具と異なり、それに尿収容袋が取り付けられていないので、物品１Ａが使用者の股間部で嵩張ることはなく、使用中の違和感がない。
【００２８】
物品１Ａは、縦方向中央部１９を中心に表面シート２を内側にして縦方向へ屈曲しているので、物品１Ａを使用するときに、前身頃５を使用者の腹部の側に容易に引き寄せることができるとともに、排泄された尿の前後端部７，８への拡散を防ぐことができる。物品１Ａは、台紙１０の前端部１２と防漏シート１１の自由部１１ｂとが物品１Ａの前端部１２と両側部１４と角部２２とに尿に対する障壁を形成するので、排泄された尿が物品１Ａの前端部１２と両側部１４と角部２２とに向かって拡散したとしても、尿がそれら部１２，１４，２２から物品１Ａの外側に漏れてしまうことはない。
【００２９】
物品１Ａでは、台紙１０のＪＩＳ  Ｐ  ８１２５に準拠したテーバー法による縦方向の剛軟度が５．０〜４０ｍＮ・ｍの範囲にあり、台紙１０のＪＩＳ  Ｐ  ８１２５に準拠したテーバー法による横方向の剛軟度が２．０〜２０ｍＮ・ｍの範囲にある。ただし、台紙１０の縦方向の剛軟度は、１０〜３０ｍＮ・ｍの範囲にあることが好ましく、台紙１０の横方向の剛軟度は、５〜１５ｍＮ・ｍの範囲にあることが好ましい。
【００３０】
台紙１０の縦方向の剛軟度が５．０ｍＮ・ｍ未満であって横方向の剛軟度が２．０ｍＮ・ｍ未満では、台紙１０の形態保持機能が低下するので、弾性部材２１の収縮力によって台紙１０の前端部１２が表面シート２の外面へ向かって縦方向内方に倒伏し、前端部１２の起立状態を維持することができない。さらに、弾性部材２１の収縮力によって物品１Ａの前後身頃５，６が縦方向内方に倒伏し、物品１Ａの屈曲状態を維持することができない。台紙１０の縦方向の剛軟度が４０ｍＮ・ｍを超過するとともに横方向の剛軟度が２０ｍＮ・ｍを超過すると、台紙１０の剛性が必要以上に増加し、台紙１０が使用者の肌に当接したときに肌に不快な刺激を与える。
【００３１】
使用後の物品１Ａを廃棄するには、表面シート２を内側にして前後身頃５，６が互いに重なり合うように、物品１Ａを縦方向中央部１９で二つに折り畳み、止着テープ１８から剥離紙２５を剥がして粘着剤２４を露出させ、粘着剤２４を介してテープ１８の延出部１８ｂを台紙１０の前端部１２の外面に止着する。物品１Ａは、止着テープ１８によって二つに折り畳まれた状態が維持されるので、物品１Ａを折り畳まれた状態のまま廃棄することができる。
【００３２】
図７，８は、他の一例として示す尿処理物品１Ｂの部分破断斜視図と、図７のＶＩＩＩ−ＶＩＩＩ線矢視断面図とであり、図９，１０は、図７のＩＸ−ＩＸ線矢視断面図と、図７のＸ−Ｘ線端面図とである。図７では、横方向を矢印Ｌ、縦方向を矢印Ｍで示し、厚み方向を矢印Ｎで示す。
【００３３】
物品１Ｂは、透液性表面シート２および不透液性裏面シート３と、表裏面シート２，３の間に介在する吸液性コア４とから構成されている。物品１Ｂは、縦方向に前身頃５および後身頃６を備え、横方向へ延びる前後端部７，８と、縦方向へ延びる両側部９とを有する。コア４は、前後端部７，８間に延び、表裏面シート２，３の内面に接合されている。裏面シート３の外面には、物品１Ｂの前後端部７，８間に延びる台紙１０が取り付けられている。物品１Ｂの内側であってその両側部９には、前後端部７，８間に延びる一対の不透液性防漏シート１１（不透液性防漏堤）が取り付けられている。
【００３４】
台紙１０は、図１のそれと同様に、縦方向へ長い略矩形を呈し、その剛性が表裏面シート２，３やコア４のそれよりも大きく、その内面が裏面シート３の外面に固着されている。台紙１０は、物品１Ｂの前端部７から縦方向外方へ延出して横方向へ延びる前端部１２と、物品１Ｂの後端部８から縦方向外方へ延出して横方向へ延びる後端部１３と、物品１Ｂの両側部９に位置して縦方向へ延びる両側部１４とを有する。
【００３５】
前端部１２は、物品１Ｂの前端部７と並行して横方向へ略直状に延び、横方向の長さ寸法が物品１Ｂの前端部７のそれよりも小さい。前端部１２には、台紙１０を厚み方向へ貫通する矩形の開口１５と、物品１Ｂの前端部７近傍に位置して横方向へ延びる第１折曲線１６とが形成されている。開口１５は、前端部１２の中央部分１２ａに形成され、物品１Ｂの使用者がその指を入れることが可能な大きさを有する。第１折曲線１６は、物品１Ｂの前端部７の端縁７ａに沿って延びていて台紙１０の前端部１２を横切っている。前端部１２は、物品１Ｂの使用者が把持可能な取っ手１７を画成している。
【００３６】
後端部１３は、物品１Ｂの後端部８と並行して横方向へ略直状に延び、横方向の長さ寸法が物品１Ｂの後端部８のそれよりも小さい。後端部１３には、物品１Ｂの後端部８近傍に位置して横方向へ延びる第２折曲線２６が形成されている。第２折曲線２６は、物品１Ｂの後端部８の端縁８ａに沿って延びていて台紙１０の後端部１３を横切っている。両側部１４は、物品１Ｂの両側部９と並行して縦方向へ略直状に延びている。台紙１０の縦方向中央部１９には、横方向へ延びる第３折曲線２０が形成されている。第３折曲線２０は、台紙１０の両側部１４間を横切っている。
【００３７】
防漏シート１１は、物品１Ｂの両側部９に位置して縦方向へ延びる固定側部１１ａと、固定側部１１ａと並行して縦方向へ延びる自由部１１ｂと、自由部１１ｂの縦方向両側に位置して物品１Ｂの横方向内方へ倒伏した固定前後端部１１ｃ，１１ｄとを有する。自由部１１ｂの上方には、縦方向へ延びる伸縮性弾性部材２１が収縮可能に取り付けられている。固定前端部１１ｃは、第１折曲線１６の縦方向外方であって台紙１０の前端部１２の前方部分１２ｂに位置し、台紙１０の内面に固着されている。固定後端部１１ｄは、第２折曲線２６の縦方向外方であって台紙１０の後端部１３の後方部分１３ｂに位置し、台紙１０の内面に固着されている。
【００３８】
台紙１０は、図７に示すように、その前後端部１２，１３が第１および第２折曲線１６，２６を介して折り曲げられ、前後端部１２，１３が表面シート２の上方へ起立している。台紙１０は、その前後端部１２，１３が防漏シート１１の自由部１１ｂに取り付けられた弾性部材２１の収縮力によって物品１Ｂの縦方向内方へ引っ張られている。物品１Ｂでは、台紙１０が第３折曲線２０を介して折り曲げられ、弾性部材２１の収縮力によって物品１Ｂの前後端部７，８が縦方向内方へ引っ張られており、物品１Ｂが台紙１０の縦方向中央部１９を中心に表面シート２を内側にして縦方向へ所定の角度で屈曲している。
【００３９】
物品１Ｂは、高い剛性を有する台紙１０の形態保持機能によって前後端部１２，１３の縦方向内方への倒伏が阻止され、弾性部材２１の収縮力によって前後端部１２，１３の縦方向外方への倒伏が阻止されており、台紙１０の形態保持機能と弾性部材２１の収縮力とによって台紙１０の前後端部１２，１３の起立状態が維持されている。物品１Ｂは、台紙１０の形態保持機能によって物品１Ｂの縦方向内方への縮みと前後身頃５，６の縦方向内方への倒伏とが阻止され、弾性部材２１の収縮力によって前後身頃５，６の縦方向外方への倒伏が阻止されており、台紙１０の形態保持機能と弾性部材２１の収縮力とによって物品１Ｂの縦方向への屈曲状態が維持されている。
【００４０】
物品１Ｂでは、台紙１０の前後端部１２，１３の起立にともなって、防漏シート１１の固定前端部１１ｃと固定後端部１１ｄとが表面シート２の上方に位置するとともに、防漏シート１１の固定前端部１１ｃ寄りに延びる自由部１１ｂと固定後端部１１ｄ寄りに延びる自由部１１ｂとが表面シート２の上方へ起立している。物品１Ｂは、弾性部材２１の収縮によって防漏シート１１の自由部１１ｂ全体が表面シート２の上方へ起立し、自由部１１ｂ全体が尿に対する障壁を形成しているとともに、表面シート２の上方へ起立した台紙１０の前後端部１２，１３が尿に対する障壁を形成している。
【００４１】
物品１Ｂでは、防漏シート１１の固定前端部１１ｃにつながる自由部１１ｂが台紙１０の前端部１２の上方から延出するとともに、防漏シート１１の固定後端部１１ｄにつながる自由部１１ｂが台紙１０の後端部１３の上方から延出し、前後端部１２，１３および自由部１１ｂが物品１Ｂの前後端部７，８と両側部９とが交差する角部２２，２７に所定高さの障壁を形成している。物品１Ｂには、台紙１０の前後端部１２，１３と防漏シート１１の自由部１１ｂとに囲繞された尿収容空間２３が画成されている。
【００４２】
物品１Ｂの前後端部７，８は、コア４の端部４ａから縦方向外方へ延びる表面シート２の端部２ａと裏面シート３の端部３ａとから形成されている。前後端部７，８では、表裏面シート２，３の端部２ａ，３ａが互いに重なり合った状態で固着されている。物品１Ｂの両側部９は、コア４の側部４ｂから横方向外方へ延びる表裏面シート２，３の側部２ｂ，３ｂと防漏シート１１の固定側部１１ａとから形成されている。両側部９では、表裏面シート２，３の側部２ｂ，３ｂと防漏シート１１の側部１１ａとが互いに重なり合った状態で固着されている。
【００４３】
この物品１Ｂの使用手順および使用方法は、図１のそれと同一であり、それらの説明は省略する。使用後の物品１Ｂは、表面シート２が互いに重なり合うように、物品１Ｂを縦方向中央部１９で二つに折り畳んで廃棄する。
【００４４】
物品１Ｂでは、前身頃５を腹部に引き寄せると、前身頃５が使用者の腹部と股間部とに当接し、防漏シート１１の自由部１１ｂが使用者の鼠径部に当接する。使用者は、物品１Ｂの前身頃５を腹部に引き寄せた状態で尿収容空間２３に排尿する。排泄された尿は、表面シート２を透過してコア４に吸収、保持される。
【００４５】
物品１Ｂは、尿を前身頃５と後身頃６とに排泄することができ、尿を前後身頃５，６において吸収、保持することができるので、物品１Ｂの使用中にそれがずれ動いたとしても、尿が物品１Ｂの外側に排泄されてしまうことはなく、尿が物品１Ｂの外側に漏れてしまうこともない。物品１Ｂは、尿収容袋が取り付けられた従来技術の受尿具と異なり、それが使用者の股間部で嵩張ることはなく、使用中の違和感がない。
【００４６】
物品１Ｂは、縦方向中央部１９を中心に表面シート２を内側にして縦方向へ屈曲しているので、物品１Ｂを使用するときに、前身頃５を使用者の腹部の側に容易に引き寄せることができるとともに、排泄された尿の前後端部７，８への拡散を防ぐことができる。物品１Ｂは、台紙１０の前後端部１２，１３と防漏シート１１の自由部１１ｂとが物品１Ｂの前後端部７，８と両側部９と角部２２，２７とに尿に対する障壁を形成するので、排泄された尿が物品１Ｂの前後端部７，８と両側部９と角部２２，２７とに向かって拡散したとしても、尿がそれら部７，８，９，２２，２７から物品１Ｂの外側に漏れてしまうことはない。
【００４７】
物品１Ｂでは、台紙１０のＪＩＳ  Ｐ  ８１２５に準拠したテーバー法による縦方向の剛軟度が５．０〜４０ｍＮ・ｍの範囲にあり、台紙１０のＪＩＳ  Ｐ  ８１２５に準拠したテーバー法による横方向の剛軟度が２．０〜２０ｍＮ・ｍの範囲にある。台紙１０の縦方向の剛軟度が５．０ｍＮ・ｍ未満であって台紙１０の横方向の剛軟度が２．０ｍＮ・ｍ未満では、台紙１０の形態保持機能が低下するので、弾性部材２１の収縮力によって台紙１０の前後端部１２，１３が表面シート２の外面へ向かって縦方向内方に倒伏し、前端部１２，１３の起立状態を維持することができない。さらに、弾性部材２１の収縮力によって物品１Ｂの前後身頃５，６が縦方向内方に倒伏し、物品１Ｂの屈曲状態を維持することができない。台紙１０の縦方向の剛軟度が４０ｍＮ・ｍを超過するとともに台紙１０の横方向の剛軟度が２０ｍＮ・ｍを超過すると、台紙１０が使用者の肌に当接したときに、台紙１０が使用者に不快な刺激を与える。
【００４８】
表面シート２には、親水性繊維不織布、多数の開孔を有する疎水性繊維不織布、微細な多数の開孔を有するプラスチックフィルムのいずれかを使用することができる。裏面シート３や防漏シート１１には、疎水性繊維不織布、通気不透液性プラスチックフィルム、疎水性繊維不織布どうしをラミネートした複合不織布、疎水性繊維不織布と通気不透液性プラスチックフィルムとをラミネートした複合シートのいずれかを使用することができる。裏面シート３や防漏シート１１には、高い耐水性を有するメルトブローン法による繊維不織布の少なくとも片面に、高い強度と良好な柔軟性とを有するスパンボンド法による繊維不織布を重ね合わせた複合不織布（ＳＭ不織布またはＳＭＳ不織布）を使用することもできる。
【００４９】
不織布には、スパンレース、ニードルパンチ、メルトブローン、サーマルボンド、スパンボンド、ケミカルボンドの各製法により製造された不織布を使用することができる。
【００５０】
親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００５１】
コア４は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚みに圧縮されている。コア４は、それの型崩れを防止するため、全体がティッシュペーパーや親水性繊維不織布等の透液性シートに包被されていることが好ましい。高吸収性ポリマーには、デンプン系、セルロース系、合成ポリマー系を使用することができる。
【００５２】
台紙１０には、バージン紙または古紙を使用することができる。バージン紙や古紙には、特に限定はなく、アート紙、色板紙、コート紙、クラフト紙、グラシン紙、ケント紙、建材原紙、コットンペーパー、上質紙、中質紙、白板紙、図画用紙、防湿紙、ボンド紙、マーブル紙、チップボール、化粧板原紙等を使用することができる。
【００５３】
表裏面シート２，３どうしの固着、表裏面シート２，３に対するコア４の接合、表裏面シート２，３に対する防漏シート１１の固着、防漏シート１１に対する弾性部材２１の固着には、接着剤、または、ヒートシールやソニックシール等の熱による溶着手段を利用することができる。裏面シート３に対する台紙１０の固着には、接着剤を使用することができる。接着剤には、ホットメルト型接着剤やアクリル系接着剤、ゴム系接着剤を使用することができる。接着剤は、表裏面シート２，３や台紙１０、防漏シート１１にスパイラル状や波状、ジグザグ状、ドット状、縞状のうちのいずれかの態様で塗布されていることが好ましい。接着剤をそのような態様でシート２，３，１１や台紙１０に塗布すると、シート２，３，１１どうしが断続的に固着されるとともに、シート２，３にコア４が断続的に固着され、裏面シート３と台紙１０とが断続的に固着される。なお、台紙１０は、裏面シート３の外面に連続的に固着されていてもよい。
【００５４】
それら図示の物品１Ａ，１Ｂでは、裏面シート３が防漏シート（防漏堤）を兼ねていてもよい。この場合は、裏面シート３の両側部分を物品１Ａ，１Ｂの両側部９から横方向外方へ延出させるとともに、両側部分を表面シート２の外面に向かって折り曲げ、両側部分の縦方向両側を台紙５の内面や表面シート２の外面に固着して防漏シートの固定両端部とし、両側部分の側縁近傍に縦方向へ延びる伸縮性弾性部材を収縮可能に取り付ければよい。また、それら物品１Ａ，１Ｂの台紙１０には、第３折曲線２０が形成されていなくてもよい。
【００５５】
【発明の効果】
本発明にかかる使い捨て尿処理物品によれば、尿を前身頃と後身頃とに排泄することができ、尿を前後身頃において吸収、保持することができるので、物品の使用中にそれがずれ動いたとしても、尿が物品の外側に排泄されてしまうことはなく、尿が物品の外側に漏れてしまうこともない。この物品は、台紙の前端部と防漏提の自由部とが物品の前端部と角部とに尿に対する障壁を形成するので、排泄された尿が物品の前端部と角部とに向かって拡散したとしても、尿がそれら部から物品の外側に漏れてしまうことはない。
【００５６】
台紙の後端部が第２折曲線を介して折り曲げられて表面シートの上方へ起立している物品では、台紙の後端部と防漏提の自由部とが物品の後端部と角部とに尿に対する障壁を形成するので、排泄された尿が物品の後端部と角部とに向かって拡散したとしても、尿がそれら部から物品の外側に漏れてしまうことはない。
【００５７】
防漏提の自由部に伸縮性弾性部材が収縮可能に取り付けられた物品では、弾性部材の収縮によって防漏シートの自由部全体が表面シートの上方へ起立し、自由部全体が物品の両側部に尿に対する障壁を形成するので、排泄された尿が物品の両側部に向かって拡散したとしても、尿が両側部から物品の外側に漏れてしまうことはない。
【００５８】
台紙が第３折曲線を介して折り曲げられて物品が表面シートを内側にして縦方向へ所定の角度で屈曲している物品では、物品を使用する使用者が物品の前身頃を腹部の側に容易に引き寄せることができるとともに、排泄された尿の物品の前後端部への拡散を防ぐことができる。
【００５９】
台紙をその厚み方向へ貫通する開口が台紙の前端部に形成された物品では、使用者が開口に指を入れることで、使用者が前端部を持ち易く、物品の前身頃を腹部の側に容易に引き寄せることができる。
【図面の簡単な説明】
【図１】一例として示す尿処理物品の部分破断斜視図。
【図２】図１のＩＩ−ＩＩ線矢視断面図。
【図３】図１のＩＩＩ−ＩＩＩ線矢視断面図。
【図４】図１のＩＶ−ＩＶ線端面図。
【図５】使用状態で示す物品の斜視図。
【図６】廃棄するために二つに折り畳まれた物品の斜視図。
【図７】他の一例として示す尿処理物品の部分破断斜視図。
【図８】図７のＶＩＩＩ−ＶＩＩＩ線矢視断面図。
【図９】図７のＩＸ−ＩＸ線矢視断面図。
【図１０】図７のＸ−Ｘ線端面図。
【符号の説明】
１Ａ          使い捨て尿処理物品
１Ｂ          使い捨て尿処理物品
２            透液性表面シート
３            不透液性裏面シート
４            吸液性コア
５            前身頃
６            後身頃
７            前端部
７ａ          端縁
８            後端部
８ａ          端縁
９            両側部
１０            台紙
１１            不透液性防漏シート（不透液性防漏堤）
１１ａ          固定側部
１１ｂ          自由部
１１ｃ          固定前端部
１１ｄ          固定後端部
１２            前端部
１３            後端部
１４            両側部
１５            開口
１６            第１折曲線
１７            取っ手
１９            縦方向中央部
２０            第３折曲線
２１            伸縮性弾性部材
２２            角部
２６            第２折曲線
２７            角部
【図１】
2005052219.tif 000003
【図２】
2005052219.tif 000004
【図３】
2005052219.tif 000005
【図４】
2005052219.tif 000006
【図５】
2005052219.tif 000007
【図６】
2005052219.tif 000008
【図７】
2005052219.tif 000009
【図８】
2005052219.tif 000010
【図９】
2005052219.tif 000011
【図１０】
2005052219.tif 000012